(57)【要約】【課題】使用完了して外蓋を閉じる時、凝集力により糊出孔に滞留する液体糊を掃除して、次の使用を順調に行えるようにでき、液体糊の利用率を高めることができる液体糊容器の提供。【解決手段】容器本体、内蓋及び外蓋を包含し、該内蓋は該容器本体の上端開口に設けられ、該外蓋は該内蓋の外部に設けられ、該内蓋の軸方向を貫通する糊出孔が設けられ、該外蓋の開口端が該容器本体に着脱自在に取り付けられ、該外蓋内壁に栓柱が凸設され、該栓柱が該糊出孔に挿入されて、糊の漏洩を防止し、更に該栓柱の末端が該糊出孔を通り該内蓋底部空間に進入する。【選択図】図３
0003137967.tif 000002
【実用新案登録請求の範囲】
【請求項１】
瓶型の容器本体、内蓋及び外蓋を包含し、該内蓋が該容器本体の上端開口に設けられ、該外蓋が該内蓋の外部に設けられ、該内蓋の軸方向を貫通する糊出孔が設けられ、該外蓋の開口端が該容器本体に着脱自在に取り付けられ、該外蓋内壁に栓柱が凸設され、該栓柱が該糊出孔に挿入されて、糊の漏洩を防止し、
該栓柱の軸方向長さが該糊出孔の長さより長く、これにより該栓柱末端が該糊出孔を通り該内蓋の底部空間に進入し、液体糊の使用を完了して外蓋を閉じる時、凝集力により糊出孔に滞留する液体糊を該栓柱により排除して、次の使用を順調とし、液体糊の利用率を高め、
該内蓋の外表面の該糊出孔の周縁に複数の導流溝が凹設され、各導流溝の一端が該糊出孔に接続され、もう一端は輻射状に外向きに延伸され、液体糊を案内して外向きに拡散させ、液体糊塗擦の便利性を高めることを特徴とする、液体糊容器。
【請求項２】
請求項１記載の液体糊容器において、該内蓋の外表面の該糊出孔の周縁に複数の凸条が凸設され、各該凸条は該糊出孔の周縁に輻射状に配置され、これにより液体糊を案内して外向きに拡散させ、液体糊塗擦の便利性を高めることを特徴とする、液体糊容器。
【請求項３】
請求項１記載の液体糊容器において、該内蓋の外表面の該糊出孔の周縁に３片以上の弁膜が凸設され、該弁膜は該糊出孔の、該容器本体の内部に近い一端部分に設けられ、これにより各弁膜が該栓柱に対して被包状態を形成し、これにより該外蓋を該容器本体より取り外す時、該栓柱表面に付着した液体糊を除去して、液体糊の利用率を高めることを特徴とする、液体糊容器。
【考案の詳細な説明】
【技術分野】
【０００１】
本考案は文房具に係り、更に詳しくは、一種の液体糊容器であって、内蓋と外蓋相互間の新規な構成により、液体糊出口の流通を保持して詰まらないようにし、液体糊の利用率を高める、液体糊容器に関する。
【背景技術】
【０００２】
図１に示されるように、周知の液体糊容器は、容器本体（１）、塗擦ヘッド（２）及び蓋（３）を包含する。そのうち、容器本体（１）はプラスチックで製造された透明瓶とされ、液体糊を収容し、該塗擦ヘッド（２）は該容器本体（１）の上端開口に設けられ、該蓋（３）は該容器本体（１）の上端に螺合され、並びに該塗擦ヘッド（２）を内側に封じる。該塗擦ヘッド（２）はリングフレーム（２０２）、支持部材（２０４）、及び網布（２０６）で構成され、該リングフレーム（２０２）と該容器本体（１）が螺合され、該支持部材（２０４）は該リングフレーム（２０２）内に軸設され、該網布（２０６）は該支持部材（２０４）の上端に設けられ、並びに該支持部材（２０４）が該網布（２０６）に対して形成する支持作用により、液体糊が該網布（２０６）を通り流出し、並びに該網布（２０６）を利用して該網布（２０６）より溢れ出た液体糊を紙表面に塗擦することができる。
【考案の開示】
【考案が解決しようとする課題】
【０００３】
周知の瓶型の液体糊容器は該網布（２０６）で柵を形成して液体糊をゆっくりと滲み出させ、急速に漏出させず、これにより液体糊の塗擦の便利性を増している。該網布（２０６）は一般に孔を具備する不織布で製造され、液体糊は該網布（２０６）を通った後、粘ちょう状の液体糊はその粘性及び毛細減少により該網布（２０６）の孔内及び該網布（２０６）の表面に滞留し、しばらく使用しないと、該網布（２０６）の孔内に滞留した液体糊が徐々に固まり、該網布（２０６）の孔を塞ぎ、該網布（２０６）の表面に付着した液体糊も固まって固まりと皮膜を形成し、再度液体糊を使用したい時に、液体糊が固まった塊或いは皮膜に阻止され、該網布（２０６）を通過できない。このとき、使用者は塊や皮膜をはぎ取って詰まりを除去して、作業を行えるようにするものであるが、剥がす過程で、塊、皮膜が網布（２０６）の繊維に粘着しているため、該網布（２０６）が破損し、液体糊が急速に漏出するようになり、液体糊が漏出過多となる問題を形成する。且つ該網布（２０６）の孔に固まった液体糊塊、皮膜は該網布（２０６）の繊維と緊密に粘着しているため、有効に除去するのが難しい。さらに、これらの周知の液体糊の価格は低廉で、容器本体（１）内部に相当の体積の液体糊が残っていても、廃棄されてしまうことが多く、液体糊の利用率が低くなる。ある業者は以上のような問題の解決を試み、塗擦ヘッド（２）を単独で販売し、該網布（２０６）が詰まる或いは破損した時に、使用者が塗擦ヘッド（２）のみを購入して交換して、取り外した塗擦ヘッド（２）を廃棄できるようにしている。しかし、多くの状況で、新しい塗擦ヘッドは数回しか使用されず、またしばらく不使用であると同じように網布（２０６）が詰まる問題が発生し、これから分かるように、周知の液体糊容器は液体糊の乾燥による詰まりの問題のために、使用上の多くの不便を有し、且つ一旦詰まると塗擦ヘッドを交換しなければならず、資源の浪費を形成した。
【課題を解決するための手段】
【０００４】
本考案はある実施態様において、瓶型の容器本体、内蓋及び外蓋を包含し、該内蓋が該容器本体の上端開口に設けられ、該外蓋が該内蓋の外部に設けられ、該内蓋の軸方向を貫通する糊出孔が設けられ、該外蓋の開口端が該容器本体に着脱自在に取り付けられ、該外蓋内壁に栓柱が凸設され、該栓柱が該糊出孔に挿入されて、糊の漏洩を防止し、
該栓柱の軸方向長さが該糊出孔の長さより長く、これにより該栓柱末端が該糊出孔を通り該内蓋の底部空間に進入し、液体糊の使用を完了して外蓋を閉じる時、凝集力により糊出孔に滞留する液体糊を該栓柱により排除して、次の使用を順調とし、液体糊の利用率を高め、
該内蓋の外表面の該糊出孔の周縁に複数の導流溝が凹設され、各導流溝の一端が該糊出孔に接続され、もう一端は輻射状に外向きに延伸され、液体糊を案内して外向きに拡散させ、液体糊塗擦の便利性を高めることを特徴としている。
本考案はまた別の実施態様において、該内蓋の外表面の該糊出孔の周縁に複数の凸条が凸設され、各該凸条は該糊出孔の周縁に輻射状に配置され、これにより液体糊を案内して外向きに拡散させ、液体糊塗擦の便利性を高めることを特徴とする。
本考案はさらにまた別の実施態様において、該内蓋の外表面の該糊出孔の周縁に３片以上の弁膜が凸設され、該弁膜は該糊出孔の、該容器本体の内部に近い一端部分に設けられ、これにより各弁膜が該栓柱に対して被包状態を形成し、これにより該外蓋を該容器本体より取り外す時、該栓柱表面に付着した液体糊を除去して、液体糊の利用率を高めることを特徴とする。
【考案の効果】
【０００５】
本考案は一種の瓶型の液体糊容器を提供し、それは内蓋と外蓋の相互間の新規な構成により、液体糊出口の流通を保持して詰まらないようにし、液体糊の利用率を高めることができる。
【考案を実施するための最良の形態】
【０００６】
本考案の液体糊容器は、瓶型の容器本体、内蓋及び外蓋を包含し、該内蓋は該容器本体の上端開口に設けられ、該外蓋は該内蓋の外部に設けられ、該内蓋の軸方向を貫通する糊出孔が設けられ、該外蓋の開口端が該容器本体に着脱自在に取り付けられ、該外蓋内壁に栓柱が凸設され、該栓柱が該糊出孔に挿入されて、糊の漏洩を防止し、更に該栓柱の末端が該糊出孔を通り該内蓋底部空間に進入する。使用完了して外蓋を閉じる時、凝集力により糊出孔に滞留する液体糊を掃除して、次の使用を順調に行えるようにでき、液体糊の利用率を高めることができる。
【実施例１】
【０００７】
図２、３を参照されたい。本考案の液体糊容器の第１実施例は、容器本体（１１０）、内蓋（１２０）及び外蓋（１３０）を包含する。そのうち、該内蓋（１２０）は該容器本体（１１０）の上端開口に螺合され、該外蓋（１３０）は該内蓋（１２０）の外部に設けられ、該内蓋（１２０）の軸心を貫通するように糊出孔（１２２）が設けられ、且つ該内蓋（１２０）の内表面の該糊出孔（１２２）の近隣区域は円弧状表面を呈して、液体糊を該糊出孔（１２２）へと導流し、これにより液体糊残留量を減らす。該糊出孔（１２２）は略錐状を呈し、且つ該糊出孔（１２２）の上端の外部に隣接する部分の孔径は該容器本体（１１０）に隣接する部分の孔径より大きく（図４参照）、これにより糊出孔（１２２）の外部に隣接する部分に液体糊が集められ、液体糊塗擦の便利性が高くなる。該外蓋（１３０）の開口端はネジ山で該容器本体（１１０）に着脱自在に接続され、該外蓋（１３０）の上端内壁と該内蓋（１２０）の上端が当接し、且つ該外蓋（１３０）の内壁の軸心部分に栓柱（１３２）が凸設され、該栓柱（１３２）が該糊出孔（１２２）に挿入されて、該糊出孔（１２２）を塞ぐことができ、液体糊の漏洩を防止できる。さらに、該栓柱（１３２）の軸方向の長さは該糊出孔（１２２）より大きく、これにより栓柱（１３２）の下端が延伸されて該糊出孔（１２２）を通過して該内蓋（１２０）の底部空間に進入し、液体糊の使用完了して該外蓋（１３０）を閉じる時、凝集力により該糊出孔（１２２）に停留する液体糊を掃除して、次の使用を順調に行えるようにし、液体糊の利用率を高めることができる。
【０００８】
図５も併せて参照されたい。本考案の第１実施例を使用する時、該外蓋（１３０）を取り外し、並びに容器本体（１１０）を傾倒させて、液体糊を該内蓋（１２０）の内表面の該糊出孔（１２２）近隣区域の円弧状表面により、該糊出孔（１２２）へと導流し、更に該糊出孔（１２２）より外に流出させる。このとき、液体糊の粘性とその凝集力を利用し、また、錐状の該糊出孔（１２２）の小孔径の内端により、液体糊が大量に急速に流出しないようにでき、且つ流出する液体糊が該糊出孔（１２２）の大径の外端部分に集め、使用者が液体糊を紙等の物品表面に塗擦できるようにする。不使用時には、該外蓋（１３０）を閉め、該栓柱（１３２）を該糊出孔（１２２）に挿入し、且つその末端を糊出孔（１２２）を通して該内蓋（１２０）の底部空間に進入させる。こうして、該栓柱（１３２）で該糊出孔（１２２）を塞いで液体糊の漏れを防止するだけでなく、該栓柱（１３２）の軸方向の長さが該糊出孔（１２２）より大きいことから、該糊出孔（１２２）に滞留する液体糊を、外蓋（１３０）を閉じる時に該栓柱（１３２）により掃除できる。ただし使用者が次に該外蓋（１３０）を外して液体糊を使用する時にもし液体糊の固まった塊、皮膜が該栓柱（１３２）に付着していても、該栓柱（１３２）の取り出しにより該糊出孔（１２２）より離脱し、則ち糊出孔（１２２）が順調な流通を保持できて詰まらず、且つ該栓柱（１３２）及び該内蓋（１２０）の外表面に付着した各種の塊、皮膜は簡単に剥離できる。
【０００９】
ゆえに、本考案は該栓柱（１３２）と該糊出孔（１２２）の相互に対応する構成により、該糊出孔（１２２）の順調な流通を有効に保持し、液体糊が乾燥して形成する塊、皮膜による塞ぎの問題をなくし、有効に液体糊の利用率と使用の便利性を高め、且つ塞ぐ問題をなくす。また液体糊を使い切ってしまった後には、本考案は液体糊を充填すれば再度使用でき、並びに廃棄の必要がなく、資源の利用率を高めることができる。
【実施例２】
【００１０】
前述の第１実施例をやや変化させて本考案の第２実施例とする。その同じ部分については説明を省略する。図６に示されるように、本考案の第２実施例の内蓋（２２０）外表面の、糊出孔（２２２）近隣エリアにはわずかに凹んだ複数の凹孔（２２１）が設けられ、これにより、液体糊の塗擦時に、該凹孔（２２１）に液体糊を収容することで、塗擦の均一性と便利性を高める。
【実施例３】
【００１１】
前述の第１実施例をやや変化させて本考案の第３実施例とする。その同じ部分については説明を省略する。図７に示されるように、本考案の第３実施例の内蓋（３２０）外表面の、糊出孔（３２２）近隣エリアにはわずかに凹んだ複数の導流溝（３２３）が設けられ、各導流溝（３２３）の一端は該糊出孔（１２２）に接続され、別端は輻射状に外向きに延伸され、これにより液体糊を案内して外向きに拡散させ、塗擦の均一性と便利性を高める。
【実施例４】
【００１２】
前述の第１実施例をやや変化させて本考案の第４実施例とする。その同じ部分については説明を省略する。図８に示されるように、本考案の第４実施例の内蓋（４２０）外表面の、糊出孔（４２２）周縁にわずかに突出する複数の凸条（４２４）が設けられ、各凸条（４２４）は輻射状に糊出孔（４２２）の周囲に配置され、これにより液体糊を案内して外向きに拡散させ、塗擦の均一性と便利性を高める。
【実施例５】
【００１３】
前述の第１実施例をやや変化させて本考案の第５実施例とする。その同じ部分については説明を省略する。図９、図１０に示されるように、本考案の第５実施例の容器本体（５１０）に径方向に、外向きに突出するスナップリング（５１２）が設けられ、外蓋（５３０）の底端開口部分に近い内壁に、該スナップリング（５１２）に組み合わされる凹んだ環状嵌め溝（５３３）が設けられ、該スナップリング（５１２）が該環状嵌め溝（５３３）に嵌合され、これにより該外蓋（１３０）が該容器本体（５１０）に着脱自在に組み合わされる。
【実施例６】
【００１４】
前述の第５実施例をやや変化させて本考案の第６実施例とする。その同じ部分については説明を省略する。図１１から図１３に示されるように、本考案の第６実施例の内蓋（６２０）の上端を貫通する複数の糊出孔（６２２）が設けられ、且つ各該糊出孔（６２２）は該内蓋（６２０）に沿って分布し、外蓋（６３０）内壁に各糊出孔（６２２）に対応するように複数の栓柱（６３２）が凸設され、各栓柱（６３２）が各糊出孔（６２２）に挿入されて液体糊の漏洩を防止できる。さらに、該内蓋（６２０）の外周に二つの位置決めブロック（６２５）が凸設され、且つ各位置決めブロック（６２５）は相互に径方向上において対向し、該外蓋（６３０）の内壁に該位置決めブロック（６２５）に対応する二つの位置決め溝（６３４）が凹設され、且つ該位置決め溝（６３４）の底端は該外蓋（１３０）の底端まで延伸され、並びに外向きに拡張されてスピーカ状の案内部（６３５）が形成され、これにより該外蓋（６３０）が閉じ合わされる時、各該位置決めブロック（６２５）が各案内部（６３５）の案内により各該位置決め溝（６３４）に滑り込み、各栓柱（６３２）が対応する糊出孔（１２２）にアラインされ進入し、これにより外蓋（６３０）の閉合の便利性が高められている。
【実施例７】
【００１５】
前述の第１実施例をやや変化させて本考案の第７実施例とする。その同じ部分については説明を省略する。図１４に示されるように、本考案の第７実施例の内蓋（７２０）の糊出孔（７２２）の周壁に３片以上の弁膜（７２６）が凸設され、且つ該弁膜（７２６）は該糊出孔の容器本体内部に近い一端に設けられる。これにより、外蓋が閉じ合わされて栓柱が該糊出孔（７２２）に挿入される時、該栓柱が強制的に各弁膜（７２６）を容器本体内部の方向に向けて曲げ、且つ各弁膜（７２６）が栓柱に対して被包状態を形成する。液体糊容器が卓上に立てられる時、不注意から倒れて栓柱が液体糊中につかり、液体糊容器が再び立てられて、液体糊が該栓柱表面に残留し、このとき、該外蓋を取り外して該栓柱が糊出孔（７２２）より引き抜かれると、該弁膜（７２６）が該栓柱の周囲を被包しているため、該栓柱表面に付着した液体糊をそぎ落とし、それを容器本体に落とし、液体糊の利用率を高めることができる。
【００１６】
総合すると、本考案の新規な構成及び全体の空間形態は十分に期待された目的と効果を達成し、且つ本考案はその出願前に頒布された刊行物にその記載がなくまた未公開使用であるため、実用新案登録の要件を具備している。
【図面の簡単な説明】
【００１７】
【図１】周知の液体糊容器の立体分解図である。
【図２】本考案の第１実施例の立体分解図である。
【図３】本考案の第１実施例の軸方向断面図である。
【図４】図３の局部拡大図である。
【図５】本考案の第１実施例の使用状態表示図である。
【図６】本考案の第２実施例の内蓋の立体図である。
【図７】本考案の第３実施例の内蓋の立体図である。
【図８】本考案の第４実施例の内蓋の立体図である。
【図９】本考案の第５実施例の立体分解図である。
【図１０】本考案の第５実施例の軸方向断面図である。
【図１１】本考案の第６実施例の立体分解図である。
【図１２】本考案の第６実施例の軸方向断面図である。
【図１３】本考案の第６実施例の外蓋の軸方向断面図である。
【図１４】本考案の第７実施例の内蓋の平面図である。
【符号の説明】
【００１８】
１  容器本体              ２  塗擦ヘッド        ２０２  リングフレーム
２０４  支持部材          ２０６  網布          ３  蓋
１１０  容器本体          １２０  内蓋          １２２  糊出孔
１３０  外蓋              １３２  栓柱
２２０  内蓋              ２２１  凹孔          ２２２  糊出孔
３２０  内蓋              ３２２  糊出孔        ３２３  導流溝
４２０  内蓋              ４２２  糊出孔        ４２４  凸条
５１０  容器本体          ５１２  スナップリング  ５３０  外蓋
５３３  嵌め溝
６２０  内蓋              ６２２  糊出孔          ６２５  位置決めブロック
６３０  外蓋              ６３２  栓柱            ６３４  位置決め溝
６３５  案内部
７２０  内蓋              ７２２  糊出孔          ７２６  弁膜
【図１】
0003137967.tif 000003
【図２】
0003137967.tif 000004
【図３】
0003137967.tif 000005
【図４】
0003137967.tif 000006
【図５】
0003137967.tif 000007
【図６】
0003137967.tif 000008
【図７】
0003137967.tif 000009
【図８】
0003137967.tif 000010
【図９】
0003137967.tif 000011
【図１０】
0003137967.tif 000012
【図１１】
0003137967.tif 000013
【図１２】
0003137967.tif 000014
【図１３】
0003137967.tif 000015
【図１４】
0003137967.tif 000016